(57)【特許請求の範囲】
【請求項１】
撮像装置に搭載される光学ズームレンズにおいて、フォーカス調整が可能な最短距離である最短フォーカス距離に対応する焦点距離を特定する特定手段と、
ユーザによる共通の操作子の操作により調整されたズーム倍率に応じて、前記光学ズームレンズにおける焦点距離およびデジタルズーム手段による切り出しサイズを制御するズーム制御手段と、
ユーザ操作に応じて、所定の動作モードへ移行するモード移行手段と、を備え、
前記ズーム制御手段は、前記モード移行手段により前記所定の動作モードに移行する際に、前記光学ズームレンズにおける焦点距離を、前記特定手段により特定された最短フォーカス距離に対応する焦点距離とする制御を行い、かつ、前記デジタルズーム手段によるズーム倍率が１倍以外の所定の値となるように制御し、
前記所定の動作モードに移行した状態において、前記共通の操作子による操作に応じては、前記光学ズームレンズにおける焦点距離を変化させることなく、前記デジタルズーム手段による切り出しサイズを制御する、
ことを特徴とする撮像装置。
【請求項２】
撮像装置に搭載される光学ズームレンズにおいて、フォーカス調整が可能な最短距離である最短フォーカス距離に対応する複数の焦点距離を検知した場合に、検知した前記複数の焦点距離のうち最も長いものを特定する特定手段と、
ユーザによる共通の操作子の操作により調整されたズーム倍率に応じて、前記光学ズームレンズにおける焦点距離およびデジタルズーム手段による切り出しサイズを制御するズーム制御手段と、
ユーザ操作に応じて、所定の動作モードへ移行するモード移行手段と、を備え、
前記ズーム制御手段は、前記モード移行手段により前記所定の動作モードに移行する際に、前記光学ズームレンズにおける焦点距離を、前記特定手段により特定された最短フォーカス距離に対応する焦点距離とする制御を行い、
前記所定の動作モードに移行した状態において、前記共通の操作子による操作に応じては、前記光学ズームレンズにおける焦点距離を変化させることなく、前記デジタルズーム手段による切り出しサイズを制御する、
ことを特徴とする撮像装置。
【請求項３】
光学ズームレンズとデジタルズーム機能を併用してズーム倍率を変化させるズーム手段と、
前記光学ズームレンズによる拡大率を、フォーカス調整が可能な最短距離に対応する拡大率に固定した状態で、対象を拡大する拡大動作モードと、前記拡大動作モード以外の他の動作モードを選択するモード選択手段と、
前記ズーム手段により所定のズーム倍率に変化させる場合に、前記拡大動作モードが選択されている場合は、前記他の動作モードが選択されている場合と比較して、前記光学ズームレンズによる拡大率をより低く、前記デジタルズーム機能による拡大率をより高くするように制御するズーム制御手段と、
を備えたことを特徴とする撮像装置。
【請求項４】
前記ズーム制御手段は、前記ズーム手段によりズーム倍率を変化させる場合に、前記拡大動作モードが選択されている場合は、前記他の動作モードが選択されている場合と比較して、光学ズームによる拡大率の変化範囲を小さく、デジタルズームによる拡大率の変化範囲を大きくするように制御する、
ことを特徴とする請求項３に記載の撮像装置。
【請求項５】
光学ズームレンズを備える撮像装置における撮像制御方法であって、
前記光学ズームレンズにおいて、フォーカス調整が可能な最短距離である最短フォーカス距離に対応する焦点距離を特定する特定処理と、
ユーザによる共通の操作子の操作により調整されたズーム倍率に応じて、前記光学ズームレンズにおける焦点距離およびデジタルズーム処理による切り出しサイズを制御するズーム制御処理と、
ユーザ操作に応じて、所定の動作モードへ移行するモード移行処理と、を含み、
前記ズーム制御処理は、前記モード移行処理により前記所定の動作モードに移行する際に、前記光学ズームレンズにおける焦点距離を、前記特定処理により特定された最短フォーカス距離に対応する焦点距離とする制御を行い、かつ、前記デジタルズーム処理によるズーム倍率が１倍以外の所定の値となるように制御し、
前記所定の動作モードに移行した状態において、前記共通の操作子による操作に応じては、前記光学ズームレンズにおける焦点距離を変化させることなく、前記デジタルズーム処理による切り出しサイズを制御する、
ことを特徴とする撮像制御方法。
【請求項６】
光学ズームレンズを備える撮像装置における撮像制御方法であって、
前記光学ズームレンズにおいて、フォーカス調整が可能な最短距離である最短フォーカス距離に対応する複数の焦点距離を検知した場合に、検知した前記複数の焦点距離のうち最も長いものを特定する特定処理と、
ユーザによる共通の操作子の操作により調整されたズーム倍率に応じて、前記光学ズームレンズにおける焦点距離およびデジタルズーム処理による切り出しサイズを制御するズーム制御処理と、
ユーザ操作に応じて、所定の動作モードへ移行するモード移行処理と、を含み、
前記ズーム制御処理は、前記モード移行処理により前記所定の動作モードに移行する際に、前記光学ズームレンズにおける焦点距離を、前記特定処理により特定された最短フォーカス距離に対応する焦点距離とする制御を行い、
前記所定の動作モードに移行した状態において、前記共通の操作子による操作に応じては、前記光学ズームレンズにおける焦点距離を変化させることなく、前記デジタルズーム処理による切り出しサイズを制御する、
ことを特徴とする撮像制御方法。
【請求項７】
光学ズームレンズを備える撮像装置を制御するコンピュータに、
前記光学ズームレンズにおいて、フォーカス調整が可能な最短距離である最短フォーカス距離に対応する焦点距離を特定する特定機能と、
ユーザによる共通の操作子の操作により調整されたズーム倍率に応じて、前記光学ズームレンズにおける焦点距離およびデジタルズーム機能による切り出しサイズを制御するズーム制御機能と、
ユーザ操作に応じて、所定の動作モードへ移行するモード移行機能と、
を実現するための撮像制御ブログラムであって、
前記ズーム制御機能は、前記モード移行機能により前記所定の動作モードに移行する際に、前記光学ズームレンズにおける焦点距離を、前記特定機能により特定された最短フォーカス距離に対応する焦点距離とする制御を行い、かつ、前記デジタルズーム機能によるズーム倍率が１倍以外の所定の値となるように制御し、
前記所定の動作モードに移行した状態において、前記共通の操作子による操作に応じては、前記光学ズームレンズにおける焦点距離を変化させることなく、前記デジタルズーム機能による切り出しサイズを制御する、
ことを特徴とする撮像制御ブログラム。
【請求項８】
光学ズームレンズを備える撮像装置を制御するコンピュータに、
前記光学ズームレンズにおいて、フォーカス調整が可能な最短距離である最短フォーカス距離に対応する複数の焦点距離を検知した場合に、検知した前記複数の焦点距離のうち最も長いものを特定する特定機能と、
ユーザによる共通の操作子の操作により調整されたズーム倍率に応じて、前記光学ズームレンズにおける焦点距離およびデジタルズーム機能による切り出しサイズを制御するズーム制御機能と、
ユーザ操作に応じて、所定の動作モードへ移行するモード移行機能と、
を実現するための撮像制御ブログラムであって、
前記ズーム制御機能は、前記モード移行機能により前記所定の動作モードに移行する際に、前記光学ズームレンズにおける焦点距離を、前記特定機能により特定された最短フォーカス距離に対応する焦点距離とする制御を行い、
前記所定の動作モードに移行した状態において、前記共通の操作子による操作に応じては、前記光学ズームレンズにおける焦点距離を変化させることなく、前記デジタルズーム機能による切り出しサイズを制御する、
ことを特徴とする撮像制御ブログラム。
【請求項９】
光学ズームレンズとデジタルズーム機能を併用してズーム倍率を変化させるズーム手段を備えた撮像装置における撮像制御方法であって、
前記光学ズームレンズによる拡大率を、フォーカス調整が可能な最短距離に対応する拡大率に固定した状態で、対象を拡大する拡大動作モードと、前記拡大動作モード以外の他の動作モードを選択するモード選択処理と、
前記ズーム手段により所定のズーム倍率に変化させる場合に、前記拡大動作モードが選択されている場合は、前記他の動作モードが選択されている場合と比較して、前記光学ズームレンズによる拡大率をより低く、前記デジタルズーム機能による拡大率をより高くするように制御するズーム制御処理と、
を含むことを特徴とする撮像制御方法。
【請求項１０】
光学ズームレンズとデジタルズーム機能を併用してズーム倍率を変化させるズーム手段を備えた撮像装置を制御するコンピュータに、
前記光学ズームレンズによる拡大率を、フォーカス調整が可能な最短距離に対応する拡大率に固定した状態で、対象を拡大する拡大動作モードと、前記拡大動作モード以外の他の動作モードを選択するモード選択機能と、
前記ズーム手段により所定のズーム倍率に変化させる場合に、前記拡大動作モードが選択されている場合は、前記他の動作モードが選択されている場合と比較して、前記光学ズームレンズによる拡大率をより低く、前記デジタルズーム機能による拡大率をより高くするように制御するズーム制御機能と、
を実現させるための撮像制御プログラム。
【発明の詳細な説明】
【技術分野】
【０００１】
本発明は、撮像装置、撮像制御方法および撮像制御プログラムに関する。
【背景技術】
【０００２】
撮像装置のユーザは、虫眼鏡を使うように細かい部分を拡大して観察したい、或いは
撮影したいという要求をもつ場合がある。例えば特許文献１の要約書の課題には、「デジタルカメラを連結できたりあるいはデジタルカメラが一体となった携帯電話は単に一般的なカメラとして被写体を撮影することができるのみで、撮影モードに特別に接写と拡大機能はなかったので、虫眼鏡として使用できなかった。」と記載され、その解決手段には、「デジタルカメラを連結できたりあるいはデジタルカメラが一体となった携帯電話に撮影モードに接写専用機能をもたせ、撮像レンズに接写位置で、ピントが合うように構成されているとともに、任意の拡大像を液晶表示部でスルー画として確認できる。」と記載されている。
【０００３】
ユーザは、虫眼鏡を使用する場合と同様に、撮像装置から対象物までの距離を調整することで、画像の拡大率を調整することができる。しかしながら、撮像装置を移動する際に対象物を見失う恐れがあるため、ズームによる拡大が好ましい。ズームによる拡大により、対象物までの距離を変えずに画像の拡大率を変えることができる。
【先行技術文献】
【特許文献】
【０００４】
【特許文献１】特開２００２−３７４４５０号公報
【発明の概要】
【発明が解決しようとする課題】
【０００５】
特許文献１には、ズームによる画像の拡大機能が記載されている。ここで、ズームを行う場合に光学ズーム機能とデジタルズーム機能とを併用する撮像装置も知られている。しかしながら、このような撮像装置にあっては、拡大率を向上させて遠くの被写体をより大きく写すことが目的であって、そのズーム倍率の制御においても、光学ズーム機能を優先してズーム倍率を制御するようにしており、近くの被写体を大きく撮影するという目的には適していなかった。また光学ズーム機能を使用すると動作音が大きく動作に時間がかかるという問題がある。
【０００６】
本願発明の課題は、対象物が近くに存在する場合であっても、光学ズーム機能とデジタルズーム機能とを併用したズーム調整を容易かつ適切に行えるようにすることを課題とする。
【課題を解決するための手段】
【０００７】
本発明は、上記目的を達成するため、
撮像装置に搭載される光学ズームレンズにおいて、フォーカス調整が可能な最短距離である最短フォーカス距離に対応する焦点距離を特定する特定手段と、
ユーザによる共通の操作子の操作により調整されたズーム倍率に応じて、前記光学ズームレンズにおける焦点距離およびデジタルズーム手段による切り出しサイズを制御するズーム制御手段と、
ユーザ操作に応じて、所定の動作モードへ移行するモード移行手段と、を備え、
前記ズーム制御手段は、前記モード移行手段により前記所定の動作モードに移行する際に、前記光学ズームレンズにおける焦点距離を、前記特定手段により特定された最短フォーカス距離に対応する焦点距離とする制御を行い、かつ、前記デジタルズーム手段によるズーム倍率が１倍以外の所定の値となるように制御し、
前記所定の動作モードに移行した状態において、前記共通の操作子による操作に応じては、前記光学ズームレンズにおける焦点距離を変化させることなく、前記デジタルズーム手段による切り出しサイズを制御する、
ことを特徴とする撮像装置である。
【発明の効果】
【０００８】
本発明によれば、光学ズーム機能とデジタルズーム機能とを併用して対象物の画像を拡大して表示する撮像装置、撮像装置の撮像制御方法および撮像制御プログラムにおいて、対象物が近くに存在する場合であっても、光学ズーム機能とデジタルズーム機能とを併用したズーム調整を容易かつ適切に行うことが可能となる。
【図面の簡単な説明】
【０００９】
【図１】本実施形態におけるデジタルカメラの外観を示す上面図と背面図である。
【図２】デジタルカメラを示す概略の構成図である。
【図３】ＢＳルーペモードに係る論理ブロック図である。
【図４】ＢＳルーペモード選択時の処理を示すフローチャートである。
【図５】ＢＳルーペモードへの遷移を示す状態遷移図である。
【図６】ＢＳルーペモードへ遷移する際のズーム位置移動中の表示画面例を示す図である。
【図７】ＢＳルーペモードへ遷移後のガイド済み状態の表示画面例を示す図である。
【図８】ＢＳルーペモードにおいてデジタルズームが最大倍率である場合の表示画面例を示す図である。
【図９】ＢＳルーペモードにおいてデジタルズームが最小倍率である場合の表示画面例を示す図である。
【発明を実施するための形態】
【００１０】
以降、本発明を実施するための形態を、各図を参照して詳細に説明する。
本実施形態は、撮像装置としてデジタルカメラ１に適用した場合を例示したもので、図１（ａ），（ｂ）は、この撮像装置であるデジタルカメラ１の外観を示す上面図と背面図である。図１（ａ）では、上面図を示している。図１（ｂ）では、上面図に対応する背面図を表示している。
このデジタルカメラ１は、静止画像撮影が可能なコンパクトデジタルカメラであり、撮像機能、計時機能などの基本的な機能のほか、虫眼鏡を使うように細かい部分を拡大して撮影する機能を実現するＢＳ（ベストショット）ルーペモードを備えている。なお、本実施形態ではデジタルカメラ１により説明するが、本発明では撮影機能が必須ではなく、ライブビュー画像を拡大表示する撮像装置であればよい。また、「ＢＳルーペ」というモード名称は、本願の出願人による名称であるが、この名称に限定されない。
【００１１】
図１（ａ）の上面図に示すように、デジタルカメラ１の本体１１の正面側には光学ズームレンズ２が、背面側には表示部４か設けられている。更に本体１１の上面には、電源ボタン３１と、撮影モードなどを指定するためのモードダイヤル３２と、ＴＥＬＥ（望遠側）／ＷＩＤＥ（広角側）のズームを操作するためのズームレバー３３と、撮影を実行するためのシャッタボタン３４とが設けられている。
本実施形態において、光学ズームレンズ２は本体１１に固定されている。光学ズームレンズ２は、フォーカス調整可能な最短距離に対応する焦点距離がワイド端よりも長い。よって、このデジタルカメラ１で、光学ズームレンズ２の焦点距離をワイド端に設定すると、被写体に充分に寄って撮影できないおそれがある。
表示部４は、液晶パネルによって構成され、被写体を撮像した画像などを表示する。なお、液晶パネルの代わりに、有機ＥＬ（エレクトロルミネッセンス）ディスプレイで構成してもよく、限定されない。また、デジタルカメラ１自身は表示部を持たず、他の装置と通信して、他の装置のディスプレイに被写体を撮像した画像などを表示させてもよい。
【００１２】
電源ボタン３１は、このデジタルカメラ１の電源のオンとオフとを切り替えるトグル動作のボタンである。
モードダイヤル３２は、デジタルカメラ１の本体１１に回転自在に支持されており、時計方向と反時計方向とに回転自在である。モードダイヤル３２の表面には、「ＢＳ」などのモード名称が複数放射状かつほぼ等角度に印刷されており、本体１１側には三角マークが印刷されている。なお、本実施形態で説明するＢＳルーペモードは、ＢＳシーンのうちの１つであるが、図１（ａ）では「ＢＳルーペモード」のシーン名称として「ＢＳ」のみを示し、他のＢＳシーンは省略している。
利用者は、モードダイヤル３２を回動させて「ＢＳ」の印刷を本体１１の上面の三角形マークに合わせることで、ＢＳルーペモードを選択することができる。図１（ａ）の上面図は、利用者により、モードダイヤル３２の「ＢＳ」が三角形マークに合うように回動され、ＢＳルーペモードが選択されていること示している。このモードダイヤル３２は、ＢＳルーペモード（第１の動作モード）とそれ以外のモード（第２の動作モード）を選択するモード選択手段である。
【００１３】
ズームレバー３３は、光学ズーム機能とデジタルズーム機能のズーム倍率の調整指示を行う共通の操作子である。ズームレバー３３は、例えばバネなどにより図面の０時の方向に付勢されており、左右の押圧により左右に回動してＴＥＬＥまたはＷＩＤＥの操作情報が検出される。利用者は、ズームレバー３３を左右いずれかに回動させることで、撮像画像のズーム倍率を調整する。このズームレバー３３は、光学ズームレンズ２とデジタルズーム機能とを併用してズーム倍率を変化させるズーム手段である。
シャッタボタン３４は、撮影開始などを指示する２段押し込み式（半押し、全押し）のボタンである。使用者がシャッタボタン３４を半押し撮影することにより、デジタルカメラ１は、撮像機構を制御して、ＡＥ（自動露出）処理とＡＦ（自動焦点）処理を実行する。その後使用者がシャッタボタン３４を全押しすることにより、デジタルカメラ１は、撮像機構を制御して、画像のキャプチャと記録とを実行する。
【００１４】
本実施形態において、ＢＳルーペモードが選択されたとき、デジタルカメラ１は、光学ズームレンズ２の焦点距離（ズーム位置）を、例えばマクロ撮影モードにおいてフォーカス調整可能な最短距離となる焦点距離に設定し、デジタルズームを起動し、かつオートフォーカスのサーチ位置をこの最短距離となる近端から強制的に行う。これにより、本実施形態では、虫眼鏡（ルーペ）を使うように、カメラから近い位置の画像を鮮明に撮影可能としている。本明細書では、このＢＳルーペモードへの移行動作、およびＢＳルーペモードにおける動作を総称して、最短距離撮影手法という。このＢＳルーペモードにかかる構成を、図２と図３とに示している。ＢＳルーペモードにかかる動作を、後記する図４と図５に示している。更にＢＳルーペモードにかかる表示画面を、後記する図６から図９に示している。
【００１５】
図１（ｂ）の背面図に示すように、デジタルカメラ１の本体１１の背面側には、表示部４が設けられ、その右側には、コントロールダイヤル３５と、その中央に位置するセットボタン３６（ＳＥＴルーペ）とが設けられている。
コントロールダイヤル３５は、再生画像の送り操作やメニューの選択操作等に使用する上下左右のボタンと、その周囲を囲み各種機能を割り当て可能なダイヤルからなり、このダイヤルに割当て可能な機能には、例えばマニュアルフォーカス、明るさ補正、ホワイトバランス、セルフタイマなどがある。
セットボタン３６は、表示部４に表示された画面の選択肢などを決定するボタンである。
【００１６】
図２は、デジタルカメラ１を示す概略の構成図である。ここでは、ＢＳルーペモードにかかる構成を示し、それ以外の構成を省略している。
図２に示すように、デジタルカメラ１は、光学ズームレンズ２と、ＣＰＵ（Central Processing Unit）５と、ＲＡＭ（Random Access Memory）５１と、ＲＯＭ（Read Only Memory）５２とを備える。デジタルカメラ１は更に、ＣＰＵ５により制御されるレンズ駆動部５３と、表示部４と、各部に電源を供給する電源部９とを備えている。光学ズームレンズ２は更に、レンズ駆動部５３に制御されるズームモータ２１およびフォーカスモータ２２を備え、不図示の記憶部にレンズ情報２３を格納している。このレンズ情報２３は、光学ズームレンズ２における各焦点距離と、各焦点距離に対応するマクロ撮影モードにおけるフォーカス調整可能な最短距離の情報を含み、ＣＰＵ５によって読み取り可能である。
【００１７】
ＣＰＵ５は、ＲＯＭ５２に格納されるファームウェアプログラムを実行し、ＲＡＭ５１に一時的な情報を格納することにより、後記する図３に示す各処理部を実現する。
レンズ駆動部５３は、例えばモータドライバＩＣ（Integrated Circuit）であり、ズームモータ２１を制御して機械的に焦点距離（レンズ位置）をＷＩＤＥ（広角側）とＴＥＬＥ（望遠側）を切り替え、フォーカスモータ２２を制御して機械的にフォーカス調整を行う。
表示部４は、ライブビュー画像、撮影後のレビュー画像、再生画像を表示すると共に、文字やアイコンや図形などにより、撮影情報や再生情報などを表示する。ここでライブビュー画像とは、撮像手段が現在撮像している画像を表示部４のサイズに縮小して表示したものである。
電源部９は、例えば二次電池とＤＣ−ＤＣコンバータを含み、このデジタルカメラ１に電源を供給する回路である。
【００１８】
図３は、ＢＳルーペ動作に係る論理ブロック図である。
ＢＳルーペ動作に係る論理ブロックには、操作判断部６１と、ズーム操作判断部６２と、特定部６３と、ズーム制御部６４と、フォーカス調整部６５と、光学ズーム制御部６６と、デジタルズーム処理部６７と、表示制御部６８と、撮影部６９とがある。
操作判断部６１は、操作部３における所定のユーザ操作が後記するＢＳルーペモードへ移行する指示操作であるＢＳルーペモード移行操作であるか否かを判断するものである。そして、操作判断部６１は、ＢＳルーペモードへ移行指示操作が行われたと判断すると、後記するズーム操作判断部６２と後記するフォーカス調整部６５とに、ＢＳルーペモードの初期設定を行うように指示信号を出力する。また操作判断部６１は、ユーザによりシャッタボタン３４が全押し操作され、撮影指示操作が行われたか否かを判断し、撮影指示操作が行われたことを判断すると、後記する撮影部６９に撮影処理を実行する指示信号を出力する。この特定部６３は、ユーザ操作に応じて、所定の動作モードへ移行するモード移行手段である。
【００１９】
ズーム操作判断部６２は、共通の操作子であるズームレバー３３のユーザ操作により行われる光学ズームレンズ２およびデジタルズーム処理部６７によるズーム倍率の調整操作を判断し、調整されるズーム倍率情報（ズームのＴＥＬＥ／ＷＩＤＥ情報）を、後記するズーム制御部６４に出力する。なお、各図面では、ズームのＴＥＬＥを「Ｔ」、ＷＩＤＥを「Ｗ」と省略記載している。
【００２０】
特定部６３は、レンズ情報２３に基づいて、この光学ズームレンズ２においてフォーカス調整が可能な最短距離である最短フォーカス距離を特定し、この最短フォーカス距離に対応する焦点距離を特定する。この特定部６３は、特定した最短フォーカス距離を後記するフォーカス調整部６５に出力し、特定した焦点距離をズーム制御部６４に出力する。
光学ズームレンズ２の焦点距離ごとに、マクロ撮影モードにおけるフォーカスの最短距離は異なる。各焦点距離のうち、マクロ撮影モードにおけるフォーカスの最短距離が最も短くなる焦点距離を、最短フォーカス距離と定義する。この最短フォーカス距離は光学ズームレンズ２に予め記憶されており、ユーザ操作によっては変更できない。
なお、本実施形態のように光学ズームレンズ２が本体１１に固定される場合に、レンズ情報２３は、光学ズームレンズ２ではなく、例えばＲＯＭ５２（図２参照）に格納されてもよい。なお、特定した最短フォーカス距離のフォーカス調整部６５への出力タイミング、および特定した焦点距離のズーム制御部６４への出力タイミングは、工場出荷時、電源オン時、ＢＳモードへの移行時、等そのタイミングは限定せず、フォーカス調整部６５がフォーカスを調整する際、およびズーム制御部６４がズーム制御を行う際に出力されていればよい。
【００２１】
ズーム制御部６４は、ズーム操作判断部６２の操作により調整されたズーム倍率情報に応じて、光学ズームレンズ２における焦点距離（ズーム位置）とデジタルズーム処理部６７による切り出しサイズとを制御する。このズーム制御部６４は、ＢＳルーペモードに移行する際に、光学ズームレンズ２における焦点距離を、特定部６３により特定された最短フォーカス距離に対応する焦点距離とする制御を行う。ＢＳルーペモードに移行している状態において、ズーム制御部６４は、ズーム操作判断部６２から出力されるズーム倍率情報に応じては、光学ズームレンズ２における焦点距離を変化させることなく、ズーム操作判断部６２にから出力されるズーム倍率情報に応じてデジタルズーム処理部６７による切り出しサイズを制御する。このときのデジタルズーム処理部６７による切り出しサイズの基準は、光学ズームレンズ２に対して制御した焦点距離が基準となる。このようにすることで、光学ズーム機能を抑止して動作音の発生を防ぎ、かつデジタルズーム処理部６７による迅速なズーム処理を行うことができる。
ズーム制御部６４は、ズームレバー３３によりズーム倍率を変化させる場合に、ＢＳルーペモード（拡大動作モード）が選択されている場合は、光学ズームレンズ２による拡大率を、フォーカス調整が可能な最短距離に対応する拡大率に固定した状態で、デジタルズーム処理部６７による拡大率を変化させるように制御する。
なおズーム制御部６４は、ズームレバー３３により所定のズーム倍率に変化させる場合に、ＢＳルーペモード（拡大動作モード）が選択されている場合は、ＢＳルーペモード以外のモード（他の動作モード）が選択されている場合と比較して、光学ズームレンズ２による拡大率をより低く、デジタルズーム処理部６７による拡大率をより高くするように制御してもよく、また光学ズームレンズ２による拡大率の変化範囲を小さく、デジタルズーム処理部６７による拡大率の変化範囲を大きくするように制御してもよい。
ズーム制御部６４は、電源オン後のＢＳルーペモードに最初に移行する際に、デジタルズーム処理部６７によるズーム倍率が２倍となるように制御している。これにより、虫眼鏡を使うように細かい部分を拡大して撮影したいという要求をすぐさま叶えることができる。ズーム制御部６４は更に、電源オン後のＢＳルーペモードに２回目以上移行する際に、デジタルズーム処理部６７によるズーム倍率が、前回のＢＳルーペモードにおける最後のズーム倍率となるように制御する。これにより、同一の被写体を前回のＢＳルーペモードと同様に観察したいという要求を叶えることができる。また、ズーム制御部６４は、表示制御部６８に、ズーム倍率と焦点距離とを出力する。
【００２２】
フォーカス調整部６５は、レンズ駆動部５３によってフォーカスモータ２２を駆動して、オートフォーカスによるフォーカス調整を行う。このフォーカス調整部６５は、ＢＳルーペモードに移行している状態において、特定部６３により特定された焦点距離に対応する最短フォーカス距離を初期位置として、オートフォーカスによるフォーカス調整を行う。ＢＳルーペモードにおいて、利用者は、被写体にカメラとの距離を合焦可能かつもっとも短い距離である最短フォーカス距離とすると考えられる。よって、最短フォーカス距離を初期位置としてフォーカス調整を行うことで、合焦までの時間を短縮可能である。
なおフォーカス調整部６５は、ＢＳルーペモード以外の状態において、直前に合焦した距離を初期位置としてオートフォーカスによるフォーカス調整を行う。
【００２３】
光学ズーム制御部６６は、ズーム制御部６４から焦点距離（ズーム位置）が入力されると、レンズ駆動部５３によってズームモータ２１を駆動して光学ズームレンズ２における焦点距離を調整する。これによりユーザは、デジタルカメラ１を最短フォーカス距離まで被写体に近接させて観察可能である。
【００２４】
デジタルズーム処理部６７は、ズーム制御部６４から切り出しサイズの指定が入力されると、不図示の画像データ処理部から吐き出され、ＲＡＭ５１に記憶されている１フレーム分の撮像画像データの中心から、指定された切り出しサイズ分の画像領域を切り出し、切り出し前のサイズに拡大する。これにより画角（ズーム倍率）を調整する。つまりデジタルズーム処理部６７は、例えば、不図示の撮像素子の受光面の中心位置に対応する画素位置を原点とし、矩形の画像領域をＲＡＭ５１に記憶されている１フレーム分の画像から切り出すことによって画角を調整する。デジタルズーム処理部６７が切り出し、切り出し前のサイズに拡大した画像は、表示部４に縮小して全画面表示される。切り出しサイズが小さくなると、ズーム倍率はより大きくなり、切り出しサイズが大きくなると、ズーム倍率はより小さくなる。これにより、ユーザは好適に拡大された被写体を観察することができる。
デジタルズーム処理部６７は更に、切り出した画像を、必要に応じて超解像処理や補間処理などにより切り出し前のサイズに拡大してもよい。デジタルズーム処理部６７は、ソフトウェアプログラムとして実現されてもよく、ＣＰＵ５の外部に設けられた集積回路によって実現されてもよい。
【００２５】
表示制御部６８は、ズーム制御部６４からズーム倍率と焦点距離とが入力されると、これらを識別可能とする指標を必要に応じて表示部４に表示する。表示制御部６８は更に、現在の合焦可能な距離の情報を必要に応じて表示部４に表示する。
表示制御部６８は、ＢＳルーペモードに移行している状態において、光学ズームレンズ２によるズーム倍率を表示することなく、デジタルズーム処理部６７によるズーム倍率を更新しつつ表示する制御を行う。
撮影部６９は、操作判断部６１からシャッタボタン３４の全押し操作が行われたと判断し出力された撮影処理の指示信号が入力されると、逐次更新される撮像画像を取得して、記録用の撮影画像を生成する処理を行う。撮影部６９は、ＢＳルーペモードに移行している状態において、ズーム制御部６４により制御されるデジタルズーム処理部６７による切り出しサイズによる逐次更新される撮像画像を取得して、切り出し前のサイズに拡大した記録用の撮影画像を生成する。これによりデジタルカメラ１は、表示部４に表示している撮像画像と同様の画角で撮影画像を記録することができる。
【００２６】
図４は、ＢＳルーペモードの処理を示すフローチャートである。この処理は、所定のＢＳルーペモード移行操作によって起動する。
ステップＳ１０において、操作判断部６１は、操作部３による所定のＢＳルーペモード移行操作が行われたと判断し、ズーム制御部６４へズーム制御の指示信号を出力する。このＢＳルーペモード移行操作は、後記する図５で説明する。
ステップＳ１１において、ズーム制御部６４は、操作判断部６１によるＢＳルーペモード移行操作が行われたと判断し、出力された指示信号を入力すると、光学ズームレンズ２における焦点距離を、特定部６３により特定され、予め入力されているフォーカス調整可能な最短距離である最短フォーカス距離に対応する焦点距離に移動させる。
ステップＳ１２において、ズーム制御部６４は、以降のＢＳルーペモードにおいて光学ズームレンズ２における焦点距離を制御することなく、ズーム操作判断部６２から出力されるズーム調整情報に対応するズーム倍率の制御がデジタルズームによるズーム倍率の制御となるように自身を設定する。
【００２７】
ステップＳ１３において、ズーム操作判断部６２は、電源オン後における直前のＢＳルーペモードにおけるズーム倍率情報が存在するか否かを判断し、当該判断条件が成立したならば（Ｙｅｓ）、ステップＳ１４にてズーム制御部６４に、ズーム倍率が直前のＢＳルーペモードのズーム倍率となる制御を行うように指示信号を出力する。当該判断条件が成立しなかったならば（Ｎｏ）、ステップＳ１５にてズーム制御部６４に、ズーム倍率が２倍となる制御を行うように指示信号を出力する。
【００２８】
ステップＳ１６において、フォーカス調整部６５は、オートフォーカスによるフォーカス調整を、特定部６３により特定され、予め入力されているフォーカス調整可能な最短距離から開始するように設定する。これらの処理により、ＢＳルーペモードへの移行（最短距離撮影手法）の起動が完了する。
このステップＳ１６の処理により、フォーカス調整部６５は、ＡＦサーチ位置を近端から強制的に行うので、虫眼鏡を使うようにデジタルカメラ１から近い位置の被写体を、鮮明に撮像可能とすることができる。
【００２９】
図５は、ＢＳルーペモードへの遷移およびＢＳルーペモードにおける状態の遷移を示す状態遷移図である。各遷移状態における表示画面は、後記する図６から図９に示している。
状態Ｍ１０はＰＬＡＹモードであり、不図示の記録メディアに記録された画像を再生するモードである。この状態Ｍ１０において、モードダイヤル３２が「ＢＳ」に設定されており、かつシャッタボタン３４が半押しする操作が、ＢＳルーペモード移行操作のひとつである。これによりデジタルカメラ１は、ＢＳルーペモードの初期設定を行う状態Ｍ１３に遷移する。
状態Ｍ１１はＢＳシーン選択画面の状態であり、ＢＳルーペモードを含むさまざまなＢＳシーンがデジタルカメラ１に収録されている。各ＢＳシーンは、被写体や撮影条件に合った最適な設定と対応している。ユーザが、ＢＳシーン選択画面からコントロールダイヤル３５の操作により所望のＢＳシーンを選択し、セットボタン３６（ＳＥＴルーペ）を操作すると、デジタルカメラ１の最適な撮影設定が完了する。この状態Ｍ１１における操作が、ＢＳルーペ選択操作のひとつである。デジタルカメラ１は、ＢＳルーペモードの初期設定を行う状態Ｍ１３に遷移し、最適な撮影設定が実行される。
状態Ｍ１２は他の撮影モードである。この状態Ｍ１２においてモードダイヤル３２を「ＢＳ」に設定する操作が、ＢＳルーペ選択操作のひとつである。デジタルカメラ１は、ＢＳルーペモードへ移行し、ＢＳルーペモードの初期設定を行う状態Ｍ１３に遷移する。なお、これらのＢＳルーペ選択操作が行われたか否かの判断は、操作判断部６１によって行われる。
状態Ｍ１３において、デジタルカメラ１は、ライブビュー画像表示動作とズームの位置の移動とズーム倍率の設定とを実行する。ライブビュー画像表示動作とは、撮像手段が撮像した画像をそのまま表示部４のサイズに縮小し表示部４に表示する動作である。ズーム位置の移動とは、ズーム制御部６４が、光学ズームレンズ２におけるズーム位置（焦点距離）を所定位置に移動させる動作である。ズーム倍率の設定とは、ズーム制御部６４が、ズーム倍率が所定のズーム倍率となるようにデジタルズームのズーム倍率を設定させる動作である。このときの表示画面を、後記する図６に示している。ズーム制御部６４が、光学ズームレンズ２におけるズーム位置（焦点距離）を所定位置に移動させると、状態Ｍ２０に遷移する。図４のフローチャートは、状態Ｍ１０〜Ｍ１２から状態Ｍ１３に遷移し、状態Ｍ１３で行われる処理までを示している。
【００３０】
以下の状態Ｍ２０〜Ｍ２３は、ＢＳルーペモードにおける状態である。なおデジタルカメラ１は、以下の状態Ｍ２０，Ｍ２１（Ｍ２１１，Ｍ２１２），Ｍ２２においても、ライブビュー画像表示動作を実行する。
【００３１】
状態Ｍ２０はＢＳルーペのガイド済の状態であり、このときの表示画面を後記する図６に示している。ユーザがズームレバー３３を操作する（Ｗ／Ｔ）ことにより状態Ｍ２１に遷移し、シャッタボタン３４を半押しすることにより状態Ｍ２２に遷移する。
状態Ｍ２１において、デジタルカメラ１はズーム倍率変更動作を実行する。ここではデジタルズームのズーム倍率が最大である状態Ｍ２１１と、デジタルズームのズーム倍率が最小である状態Ｍ２１２とを代表で示している。状態Ｍ２１１において、ユーザがズームレバー３３をＷＩＤＥ側（Ｗ）に操作すると、状態Ｍ２１２への方向に遷移する。状態Ｍ２１２において、ユーザがズームレバー３３をＴＥＬＥ側（Ｔ）に操作すると、状態Ｍ２１１への方向に遷移する。
状態Ｍ２１１における表示画面は、後記する図８に示している。状態Ｍ２１２における表示画面は、後記する図９に示している。
状態Ｍ２２において、デジタルカメラ１は、シャッタボタン３４の半押し時により、撮影のためのオートフォーカス（合焦動作）を実行する。このとき、被写体に合焦すると、表示部４のＡＦ枠７７（図６から図９参照）上に合焦マークが点灯する。このときユーザがシャッタボタン３４の半押しを解除すると状態Ｍ２０に戻り、シャッタボタン３４を全押しすると、状態Ｍ２３に遷移して撮影処理を実行したのちに、前記した状態Ｍ２０に戻る。
図示していないが、このＢＳルーペモードから他のＢＳシーンに遷移するのは、モードダイヤル３２の切替、再生ボタンの押下、電源のオフなどである。
【００３２】
図６は、ＢＳルーペモードの初期設定中である状態Ｍ１３の表示画面例を示す図である。
画面７ａの最上部には、モードアイコン７１が表示され、その直下に概要ガイド７２により、「ベストショット」が表示される。画面７ａの下部には、詳細ガイド７３により、「ＢＳルーペ」が表示される。画面７ａの右側には、焦点距離情報７４が表示される。このときの焦点距離は、特定部６３により特定された最短フォーカス処理に対応する焦点距離である。ここでは２５ｍｍが表示されている。これにより、ユーザにＢＳルーペモードへの遷移を示すことができる。画面７ａの中央には、被写体に合焦したか否かを示すＡＦ枠７７が表示される。画面７ａには更にデジタルズームにより拡大されたライブビュー画像が表示されるが、図６から図９では、このライブビュー画像の図示を省略している。
【００３３】
図７は、ＢＳルーペモードの初期設定が完了したガイド済み状態である状態Ｍ２０の表示画面例を示す図である。
この状態Ｍ２０では、ユーザによる拡大画像の観察を妨げないように、状態Ｍ１３におけるガイド表示が消失し、画面７ｂの最上部のモードアイコン７１と画面７ｂの右側の焦点距離情報７４とが表示されている。画面７ｂには更に、デジタルズームにより拡大されたライブビュー画像が表示されるので、ユーザが容易に被写体を観察可能である。このときのデジタルズームによるズーム倍率は、電源オン後の１回目のＢＳルーペモードでは２倍であり、２回目以降のＢＳルーペモードでは前回のＢＳルーペモードの最後に設定されたズーム倍率である。
【００３４】
図８は、ＢＳルーペのデジタルズームのズーム倍率が最大である状態Ｍ２１１の表示画面例を示す図である。
画面７ｃには、モードアイコン７１と焦点距離情報７４に加えて、合焦可能距離情報７５が表示される。合焦可能距離情報７５は、焦点距離情報７４に表示されている焦点距離における合焦可能な距離の範囲である。このときの合焦可能な距離として、８ｃｍから無限遠（∞）が表示されている。更に画面７ｃの下部には、ズームバー７６が表示され、ズームカーソル７６１によって現在のズーム倍率を示している。このときデジタルズームの倍率は最大なので、ズームカーソル７６１は最も大きな値を示している。画面７ｃには、光学ズーム機能によるズーム倍率は表示されていない。
このとき所定時間に亘ってズームレバー３３をＷＩＤＥ側に操作すると、デジタルカメラ１は、状態Ｍ２１１と状態Ｍ２１２との中間の状態を示す画面に遷移したのち、図９に示す画面７ｄに遷移する。またズームレバー３３の操作を終了すると、図７に示す画面７ｂに遷移し、ユーザによる拡大画像の観察を妨げないように、ズームバー７６と合焦可能距離情報７５とが消失する。
【００３５】
図９は、ＢＳルーペのデジタルズームのズーム倍率が最小である状態Ｍ２１２の表示画面例を示す図である。
画面７ｄには、モードアイコン７１と焦点距離情報７４に加えて、合焦可能距離情報７５が表示される。更に画面７ｄの下部にはズームバー７６が表示され、ズームカーソル７６１は、最も小さな値を示している。このとき所定時間に亘ってズームレバー３３をＴＥＬＥ側に操作すると、デジタルカメラ１は、状態Ｍ２１２と状態Ｍ２１１との中間の状態を示す画面に遷移したのち、図８に示す画面７ｃに遷移する。またズームレバー３３の操作を終了すると、図７に示す画面７ｂに遷移し、ユーザによる拡大画像の観察を妨げないように、ズームバー７６と合焦可能距離情報７５とが消失する。
【００３６】
本実施形態により、光学ズームレンズ２とデジタルズーム処理部６７とを併用して対象物をの画像を拡大して表示部４に表示するデジタルカメラ１において、対象物を拡大する際のズーム倍率の調整を容易かつ適切に行えるようになる。
【００３７】
（変形例）
本発明は、上記実施形態に限定されることなく、本発明の趣旨を逸脱しない範囲で、変更実施が可能であり、例えば、次の（ａ）〜（ｇ）のようなものがある。
【００３８】
（ａ）  光学ズームレンズ２を交換可能とし、特定部６３は、光学ズームレンズ２の交換を検出した際に、最短フォーカス距離と、これに対応する焦点距離とを更新してもよい。光学ズームレンズ２は、最短フォーカス距離と、これに対応する焦点距離とを光学ズームレンズ２自身が記憶する。特定部６３は、光学ズームレンズ２から最短フォーカス距離と、これに対応する焦点距離とを読み出す。
【００３９】
（ｂ）  光学ズームレンズ２がＩＤ（Identifier：識別子）を持ち、レンズのＩＤと最短フォーカス距離に対応する焦点距離を示すレンズ情報テーブルを特定部６３が記憶してもよい。特定部６３は、光学ズームレンズ２の交換時に、交換された光学ズームレンズ２のＩＤを判断し、レンズ情報テーブルに基づいて最短フォーカス距離と、これに対応する焦点距離とを取得する。レンズが持つＩＤは、メモリなど電気的なものでもよく、機構的なものでもよい
【００４０】
（ｃ）  上記実施形態のデジタルズームは１種類である。しかし、これに限られず、複数のデジタルズームの方法を組み合わせてもよい。デジタルズームの方法には、画面中央をデジタル処理で拡大する上記の方式以外に、例えばＨＤズーム、超解像ズーム（シングル）などがある。ＨＤズームとは、切り出した画像を拡大することなくズームアップ効果を得る方式である。超解像ズーム（シングル）とは、シングル超解像技術により画質の劣化を最小限にとどめてズーム倍率を伸長する方式である。
【００４１】
（ｄ）  上記実施形態のデジタルズームによるズーム倍率の初期値は２倍であるが、これに限られず、１倍以外の任意の倍率であってもよい。なお、ライブビュー表示画像によって被写体を観察するためには、１倍より大きい倍率が好適である。
（ｅ）  上記実施形態では、デジタルカメラで説明している。しかし、これに限られず、光学ズームレンズを備えた撮像装置であればよく、例えば携帯電話、スマートフォン、タブレット端末などに適用してもよい。
（ｆ）  上記実施形態では、ＢＳルーペモードの際のオードフォーカス機能を提供しているが、マニュアルフォーカス機能を提供してもよい。これにより、ユーザは、例えば網の向こうに位置する被写体に合焦させ、この被写体を拡大して観察することができる。
（ｇ）  特定部６３は、光学ズームレンズ２において、フォーカス調整が可能な最短距離である最短フォーカス距離に対応する複数の焦点距離を検知した場合は、検知した複数の焦点距離のうち最も長いものを特定してもよい。これによりユーザは、光学ズームレンズ２が、より光学的に拡大したライブビュー画像により、被写体を観察することができる。
【００４２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像装置に搭載される光学ズームレンズにおいて、フォーカス調整が可能な最短距離である最短フォーカス距離に対応する焦点距離を特定する特定手段と、
ユーザによる共通の操作子の操作により調整されたズーム倍率に応じて、前記光学ズームレンズにおける焦点距離および／またはデジタルズーム手段による切り出しサイズを制御するズーム制御手段と、
ユーザ操作に応じて、所定の動作モードへ移行するモード移行手段と、を備え、
前記ズーム制御手段は、前記モード移行手段により前記所定の動作モードに移行する際に、前記光学ズームレンズにおける焦点距離を、前記特定手段により特定された最短フォーカス距離に対応する焦点距離とする制御を行い、
前記所定の動作モードに移行している状態において、前記共通の操作子による操作に応じては、前記光学ズームレンズにおける焦点距離を変化させることなく、前記デジタルズーム手段による切り出しサイズを制御する、
ことを特徴とする撮像装置。
＜請求項２＞
前記共通の操作子により調整されるズーム倍率を識別可能とする指標を表示部に表示する制御を行う表示制御手段、を更に備え、
前記表示制御手段は、前記所定の動作モードに移行している状態において、指標として、前記光学ズームレンズによるズーム倍率を表示することなく、前記デジタルズーム手段によるズーム倍率を更新しつつ表示する制御を行う、
ことを特徴とする請求項１に記載の撮像装置。
＜請求項３＞
前記表示制御手段は、前記所定の動作モードに移行している状態において、前記特定手段により特定された焦点距離を、指標として表示する制御を行う、
ことを特徴とする請求項２に記載の撮像装置。
＜請求項４＞
オートフォーカスによるフォーカス調整を行うフォーカス調整手段を、更に備え、
前記フォーカス調整手段は、所定の動作モードに移行している状態において、前記特定手段により特定された焦点距離に対応する最短フォーカス距離を初期位置として、オートフォーカスによるフォーカス調整を行う、
ことを特徴とする請求項１に記載の撮像装置。
＜請求項５＞
前記ズーム制御手段は、前記モード移行手段により前記所定の動作モードに移行する際に、前記デジタルズーム手段によるズーム倍率が１倍以外の所定の値となるように制御する、
ことを特徴とする請求項１に記載の撮像装置。
＜請求項６＞
前記ズーム制御手段は、前記モード移行手段により前記所定の動作モードに移行する際に、前記デジタルズーム手段によるズーム倍率が、前回の前記所定の動作モードにおけるズーム倍率となるように制御する、
ことを特徴とする請求項５に記載の撮像装置。
＜請求項７＞
前記光学ズームレンズは交換可能であって、
前記特定手段は、交換される各前記光学ズームレンズにおいて最短フォーカス距離に対応する焦点距離を特定する、
ことを特徴とする請求項１に記載の撮像装置。
＜請求項８＞
逐次更新される撮像画像を取得して、記録用の撮影画像を生成する処理を行う撮影手段を、更に備え、
前記撮影手段は、前記所定の動作モードに移行している状態において、前記ズーム制御手段により制御される前記デジタルズーム手段による切り出しサイズによる逐次更新される撮像画像を取得して、記録用の撮影画像を生成する処理を行う、
ことを特徴とする請求項１に記載の撮像装置。
＜請求項９＞
前記光学ズームレンズは、フォーカス調整が可能な最短距離である最短フォーカス距離に対応する焦点距離が、ワイド端とは異なる、
ことを特徴とする請求項１に記載の撮像装置。
＜請求項１０＞
前記特定手段は、前記光学ズームレンズにおいて、フォーカス調整が可能な最短距離である最短フォーカス距離に対応する複数の焦点距離を検知した場合は、検知した前記複数の焦点距離のうち最も長いものを特定する、
ことを特徴とする請求項１に記載の撮像装置。
＜請求項１１＞
光学ズームレンズとデジタルズーム機能を併用してズーム倍率を変化させるズーム手段と、
第１の動作モードと第２の動作モードを選択するモード選択手段と、
前記ズーム手段により所定のズーム倍率に変化させる場合に、前記第２の動作モードが選択されている場合は、前記第１の動作モードが選択されている場合と比較して、前記光学ズームレンズによる拡大率をより低く、前記デジタルズーム機能による拡大率をより高くするように制御するズーム制御手段と、
を備えたことを特徴とする撮像装置。
＜請求項１２＞
前記ズーム制御手段は、前記ズーム手段によりズーム倍率を変化させる場合に、前記第２の動作モードが選択されている場合は、前記第１の動作モードが選択されている場合と比較して、光学ズームによる拡大率の変化範囲を小さく、デジタルズームによる拡大率の変化範囲を大きくするように制御する、
ことを特徴とする請求項１１に記載の撮像装置。
＜請求項１３＞
前記ズーム制御手段は、前記ズーム手段によりズーム倍率を変化させる場合に、前記第２の動作モードが選択されている場合は、光学ズームによる拡大率を、フォーカス調整が可能な最短距離に対応する拡大率に固定した状態で、デジタルズームによる拡大率を変化させるように制御する、
ことを特徴とする請求項１２に記載の撮像装置。
＜請求項１４＞
光学ズームレンズを備える撮像装置における撮像制御方法であって、
前記光学ズームレンズにおいて、フォーカス調整が可能な最短距離である最短フォーカス距離に対応する焦点距離を特定する特定処理と、
ユーザによる共通の操作子の操作により調整されたズーム倍率に応じて、前記光学ズームレンズにおける焦点距離および／またはデジタルズーム処理による切り出しサイズを制御するズーム制御処理と、
ユーザ操作に応じて、所定の動作モードへ移行するモード移行処理と、を含み、
前記ズーム制御処理は、前記モード移行処理により前記所定の動作モードに移行する際に、前記光学ズームレンズにおける焦点距離を、前記特定処理により特定された最短フォーカス距離に対応する焦点距離とする制御を行い、
前記所定の動作モードに移行している状態において、前記共通の操作子による操作に応じては、前記光学ズームレンズにおける焦点距離を変化させることなく、前記デジタルズーム処理による切り出しサイズを制御する、
ことを特徴とする撮像制御方法。
＜請求項１５＞
光学ズームレンズを備える撮像装置を制御するコンピュータに、
前記光学ズームレンズにおいて、フォーカス調整が可能な最短距離である最短フォーカス距離に対応する焦点距離を特定する特定機能と、
ユーザによる共通の操作子の操作により調整されたズーム倍率に応じて、前記光学ズームレンズにおける焦点距離および／またはデジタルズーム機能による切り出しサイズを制御するズーム制御機能と、
ユーザ操作に応じて、所定の動作モードへ移行するモード移行機能と、
を実現するための撮像制御ブログラムであって、
前記ズーム制御機能は、前記モード移行機能により前記所定の動作モードに移行する際に、前記光学ズームレンズにおける焦点距離を、前記特定機能により特定された最短フォーカス距離に対応する焦点距離とする制御を行い、
前記所定の動作モードに移行している状態において、前記共通の操作子による操作に応じては、前記光学ズームレンズにおける焦点距離を変化させることなく、前記デジタルズーム機能による切り出しサイズを制御する、
ことを特徴とする撮像制御ブログラム。
＜請求項１６＞
光学ズームレンズとデジタルズーム機能を併用してズーム倍率を変化させるズーム手段を備えた撮像装置における撮像制御方法であって、
第１の動作モードと第２の動作モードを選択するモード選択処理と、
前記ズーム手段により所定のズーム倍率に変化させる場合に、前記第２の動作モードが選択されている場合は、前記第１の動作モードが選択されている場合と比較して、前記光学ズームレンズによる拡大率をより低く、前記デジタルズームによる拡大率をより高くするように制御するズーム制御処理と、
を含むことを特徴とする撮像制御方法。
＜請求項１７＞
光学ズームレンズとデジタルズーム機能を併用してズーム倍率を変化させるズーム手段を備えた撮像装置を制御するコンピュータに、
第１の動作モードと第２の動作モードを選択するモード選択機能と、
前記ズーム手段により所定のズーム倍率に変化させる場合に、前記第２の動作モードが選択されている場合は、前記第１の動作モードが選択されている場合と比較して、前記光学ズームレンズによる拡大率をより低く、前記デジタルズームによる拡大率をより高くするように制御するズーム制御機能と、
を実現させるための撮像制御プログラム。
【符号の説明】
【００４３】
１  デジタルカメラ  （撮像装置）
１１  本体
２  光学ズームレンズ
２１  ズームモータ
２２  フォーカスモータ
２３  レンズ情報
３  操作部
３２  モードダイヤル
３３  ズームレバー
３４  シャッタボタン
４  表示部
５  ＣＰＵ
５３  レンズ駆動部
６１  操作判断部
６２  ズーム操作判断部
６３  特定部
６４  ズーム制御部
６５  フォーカス調整部
６６  光学ズーム制御部
６７  デジタルズーム処理部
６８  表示制御部
６９  撮影部
７ａ〜７ｄ  画面
７１  モードアイコン
７２  概要ガイド
７３  詳細ガイド
７４  焦点距離情報
７５  合焦可能距離情報
７６  ズームバー
７６１  ズームカーソル
９  電源部
【図１】
0006485083.tif 000002
【図２】
0006485083.tif 000003
【図３】
0006485083.tif 000004
【図４】
0006485083.tif 000005
【図５】
0006485083.tif 000006
【図６】
0006485083.tif 000007
【図７】
0006485083.tif 000008
【図８】
0006485083.tif 000009
【図９】
0006485083.tif 000010